(57)【要約】      （修正有）【課題】面白みのある筆跡を簡単に引くことができる、筆記部材としての回転体を有する回転体付き容器を提供する。【解決手段】筆記部材としての回転体３と、この回転体３を貫通孔２ａの先端開口部２ｂから一部突出して回転可能に抱持する回転体保持部２を備える回転体付き容器であって、筆記時に回転体３が接触する軟質部材からなる回転体抑止部４を回転体保持部２ｄの内面に設けた。【選択図】図２
2016101727.tif 000002
【特許請求の範囲】
【請求項１】
筆記部材としての回転体と、この回転体を貫通孔の先端開口部から一部突出して回転可能に抱持する回転体保持部を備える回転体付き容器であって、筆記時に回転体が接触する軟質部材からなる回転体抑止部を回転体保持部の内面に設けた回転体付き容器。
【請求項２】
前記回転体を球状とすると共に、前記回転体抑止部の前記回転体との当接部を略球面状としたことを特徴とする、請求項１に記載の回転体付き容器。
【請求項３】
前記回転体保持部の後方に内容物を収容する収容部を設け、その収容部から回転体保持部に内容物を流入させる放射状溝を設け、その放射状溝と距離を設けて前記回転体抑止部を配置したことを特徴とする、請求項１に記載の回転体付き容器。
【発明の詳細な説明】
【技術分野】
【０００１】
本発明は、内容物を収納する収納部と、収納部の一端に筆記部材としての回転体を有する回転体付き容器に関する。
【背景技術】
【０００２】
一端部がボールを保持するための薄肉嵌合部になっており、かつ射出成形によりＡＢＳやＰＳ、ＰＢ、ＰＥ、ＰＯＭといった樹脂で一体成形されている樹脂製ボールペンチップが提案されている。
【先行技術文献】
【特許文献】
【０００３】
【特許文献１】特開平９−３０１８２号
【発明の概要】
【発明が解決しようとする課題】
【０００４】
従来技術では、ボールが筆記面からの力を受け、樹脂チップ内壁に接触した時に、両者の材料硬度からボールの回転に影響を及ぼすような樹脂チップの変形は少なかった。
【０００５】
よって、筆記中のボールの回転速度の変化が少ない為、線の太さ（筆記幅）の変化は少なかった。したがって、筆記幅の変化をつけた筆跡を描くためには、テンプレートの使用や、意図的に筆記圧を変えるなどの筆記方法を工夫する必要があり、手間がかかるという悪さがあった。
【課題を解決するための手段】
【０００６】
筆記部材としての回転体と、この回転体を貫通孔の先端開口部から一部突出して回転可能に抱持する回転体保持部を備える回転体付き容器であって、筆記時に回転体が接触する軟質部材からなる回転体抑止部を回転体保持部の内面に設けた回転体付き容器。
【発明の効果】
【０００７】
筆記部材としての回転体と、この回転体を貫通孔の先端開口部から一部突出して回転可能に抱持する回転体保持部を備える回転体付き容器であって、筆記時に回転体が接触する軟質部材からなる回転体抑止部を設けたため、線の太さ（筆跡幅）が変化したり、線が途中で途切れたりする面白みのある筆跡が簡単に引けるものである。
【図面の簡単な説明】
【０００８】
【図１】回転体を設けた容器の外観図。
【図２】第１実施例の要部の断面拡大図。
【図３】図２のＡ−Ａ’線断面図。
【図４】第１実施例の筆記時における要部の断面拡大図。
【図５】第２実施例の要部の断面拡大図。
【図６】図５の回転体を省略した図。
【図７】図６のＢ−Ｂ’線断面図。
【図８】第２実施例の筆記時における要部の断面拡大図。
【発明を実施するための形態】
【０００９】
以下本発明の第１実施例について、図１〜図４を参照しながら説明する。
【００１０】
図１〜図４は、本発明の回転体付き容器である。なお、回転体付き容器の筆記部側を前方とし、その反対側を後方とする。
【００１１】
参照符号１は、粘度をもつ内容物を収容する有底の収容部１である。この収容部１の一方の端部（前方側）は開口部になっている。なお、前記収容部１は内容物を収容出来る構成であれば良く、有底に限る必要はない。
【００１２】
収容部１の前記開口部には、回転体保持部２が形成されている。その回転体保持部２は、内容物の通路として貫通孔２ａが形成されている。さらに、前記回転体保持部２の内部には、回転体３が配置されている。前記回転体保持部２の貫通孔２ａは、その前方に、前記回転体３の直径より小径とした先端開口部２ｂが形成されている。また、その先端開口部２ｂの後方に配置され、かつ、回転体３の後方移動規制をなす内方に突出した回転体抑止部４が配置されている。そして、前記先端開口部２ｂと前記回転体抑止部４によって、回転体３が移動し得る範囲としての回転体抱持室２ｃが形成されている。そのため、回転体３が回転体保持部２の前記貫通孔２ａの先端開口部２ｂから一部突出して回転可能に抱持されている。尚、筆記中においては、前記回転体３と前記回転体保持部２の先端開口部２ｂの間には、内容物を吐出するための隙間５が発生するようになっている。
【００１３】
図２、および、図３は、上記した回転体抑止部４の説明図である。
【００１４】
前記回転体抑止部４は、回転体保持部２の内面２ｄに設けられた中空で円柱状の円柱部４ａと、その円柱部４ａの内壁４ｂから中心に向かって垂直に突出した状態で、円周方向に放射状で、かつ等間隔に６つ設けられた突出部４ｃから形成されている。
【００１５】
なお、前記突出部４ｃの配置位置、個数は、回転体３が紙面から受ける力によって、前記回転体抱持室２ｃ内の後方へ動くことにより受ける力、さらに、筆記時に回転体３が筆記面に対して前後左右に動くことにより受ける力、即ち、いかなる筆記方向からの力に対しても回転体３が接触することが出来る配置位置、個数であれば良く、本実施例のように等間隔に５つ配置することに限定されるものではない。
【００１６】
前記回転体抑止部４の突出部４ｃは、その後端面から見ると、略正方形をしている（図３参照）。また、前端面には、回転体３との当接面４ｄを有する。その当接面４ｄの表面の形状は、回転体３の球面の形状に沿った略球面状をしている。つまり、回転体３との当接面４ｄは回転体３の表面（球面）に略球面状に当接し、密着可能な形状をしている。
【００１７】
回転体抑止部４の回転体保持部２への取り付け方法は、回転体保持部２の内面２ｄと一体に成形しても良い。また、回転体抑止部４を別体で作製して、回転体保持部２の内面２ｄに接着や溶着、２色成形などしても良い。
【００１８】
前記回転体抑止部４は、軟質部材で出来ている。
【００１９】
具体的には、ロックウェル硬度がＲ５０未満の樹脂、および、ゴム硬度７０以下のエラストマーやゴムが望ましい。具体的には、ナイロン６６や、ＰＰＯ、塩化ビニルなどの樹脂や、クロロブレンゴムや、ニトリルゴム、ウレタンゴムなどのエラストマーやゴムが挙げられる。なお、前記ロックウェル硬度は、試験荷重６０ｋｇ、圧子１／２鋼球、スケールＲを使用した測定方法に基づくものであり、ゴム硬度は、ＪＩＳ規格（ＪＩＳ  Ｋ  ６２５３）タイプＡの測定方法に基づくものである。
【００２０】
次に、第１実施例の作用について説明する。
【００２１】
筆記時の筆圧や、筆記による筆記面に対する前後左右の動きにより、前記回転体３は前記回転体保持部２の回転体抱持室２ｃ内部の前方から後方および、前後左右に移動する。その際、回転体３は変形し易い軟質部材からなる回転体抑止部４に接触し、その回転体抑止部４に圧接する。
【００２２】
図４は、回転体付き容器を筆記面に対して押し当てながら、矢印Ａの方向に筆記した場合の筆記時の要部の断面拡大図である。なお、図４は、軟質部材の変形が分かりやすいように誇張して描いている。また、矢印Ｂは回転体３の回転方向を示している。この場合、筆記時の回転体３の回転による摩擦で、軟質部材からなる回転体抑止部４は図４のように回転に伴って引っ張られ、回転体３の表面に沿って伸びるように変形し、回転体３の回転を抑止する。なお、この抑止力による回転の抑止は、後述の通り、回転体３と筆記面との摩擦力との関係によって変化するため、回転が停止する状態、および、回転体３の回転速度が減速した状態をいう。
【００２３】
そして、その変形が軟質部材（回転体抑止部４）の最大変形量に達したとき、回転体抑止部４の変形は元に戻ろうとし、回転体３は筆記面との摩擦により、そのまま回転をしようとするため、回転体３と回転体抑止部４の表面ですべりが生じ、回転体抑止部４は変形が戻り、回転体３は停止状態から回転、もしくは回転速度が減速した状態から回転速度が復帰する。
【００２４】
また、筆記中の筆記者の筆圧は常に一定ではないが、従来のボールと樹脂チップの構成では、その変化は小さなものである。しかし、本実施例のように、回転体抑止部４の変形により、従来のボールと樹脂チップでは起こらない大きな抑止力が回転体３に加わるため、その抑止力によって、一時的に使用者の筆圧に無意識に強弱を生じさせる。そのため、本実施例においては、筆記中の筆圧の差が大きくなる。つまり、筆記中においては、大きな筆記圧と小さな筆記圧が繰り返されている。よって、使用者の筆圧が弱くなった際に、回転体３からの摩擦力が小さくなるため、回転体抑止部４は変形が戻り易くなり、回転体３は再び通常の回転速度にて回転する。
【００２５】
つまり、回転体３との摩擦力によって回転体抑止部４が、引っ張られることと、軟質部材（回転体抑止部４）の最大変形量に達したことにより戻る（復元する）ことが筆記中に繰り返されることによって、回転体抑止部４が断続的に変形、復元を繰り返す。
【００２６】
これにより、回転体３の回転に対する摩擦力が断続的に変化し、回転体３の回転速度が断続的に変化する。
【００２７】
なお、前記回転体３と筆記面との摩擦力が弱く、その摩擦力を前記回転体抑止部４の抑止力が上回る場合は、回転体３は回転体抑止部４によって回転を一時的に停止される。この場合、回転体３の回転が一時停止した際に、筆記線が途中で途切れることで、点線を簡単に引くことが出来る。
【００２８】
また、前記回転体３と筆記面との摩擦力が強く、その摩擦力を前記回転体抑止部４の抑止力が下回る場合は、回転体３は回転体抑止部４の抑止力によって、一時的に回転速度は減速される。この場合、回転体３の回転速度が減速した際に、線の太さ（筆跡幅）が細くなるため、筆跡幅が断続的に大きく変化する筆跡を簡単に引くことが出来る。
【００２９】
第１実施例においては、筆記時の筆圧や、筆記による筆記面に対する前後左右の動きにより、前記回転体３は前記回転体保持部２の回転体抱持室２ｃ内部の前方から後方、および、前後左右に移動する。その際、回転体３は変形し易い軟質部材からなる回転体抑止部４に接触し、その回転抑止部４に圧接する構成であるが、これに限らず、筆記による筆圧や、筆記による筆記面に対する前後左右の動きによって回転体３が移動する前から回転体抑止部４と回転体３が接触し、その回転抑止部４に圧接した状態となっていても良い。ただし、その際の圧接力は、回転体３の回転に対する摩擦力の断続的な変化に影響のないようにする。
【００３０】
このようにすることで、筆記していない状態では、回転体３は回転体抑止部４との接触による圧接力によって、回転体抱持室２ｃの前方へ付勢され、回転体３と回転体保持部２の先端開口部２ｂとの隙間５が塞がれる。よって、内容物の乾燥や漏れを防ぐことが出来る。
【００３１】
以下本発明の第２実施例について、図５〜図８を参照しながら説明する。
第２実施例も、第１実施例と同様に、粘度をもつ内容物を収容する有底の収容部１の開口部に回転体保持部６が形成されている。なお、前記収容部１は内容物を収容出来る構成であれば良く、有底に限る必要はない。その回転体保持部６は、内容物の通路として貫通孔６ａが形成されている。さらに、前記回転体保持部６の内部には、回転体７が配置されている。前記回転体保持部６の貫通孔６ａは、その前方に、前記回転体７の直径より小径とした先端開口部６ｂが形成されている。また、その後方には、回転体７の後方移動規制をなす内方突出部６ｃが円周方向に放射状で、かつ、等間隔に６つ形成されている。そして、前記先端開口部６ｂと内方突出部６ｃによって、回転体７が移動し得る範囲としての回転体抱持室６ｄが形成されている。そのため、回転体７が回転体保持部６の前記貫通孔６ａの先端開口部６ｂから一部突出して回転可能に抱持されている。
【００３２】
なお、内方突出部６ｃによって円周方向に放射状に形成される縦溝（放射状溝６ｅ）は、収容部１に収容された内容物を前記回転体抱持室６ｄに流入させる道となるものである。また、前述の通り、内容物を前記回転体抱持室６ｄに流入させることが出来れば、前記内方突出部６ｃ、および、放射状溝６ｅの配置位置、個数は円周方向に放射状で、かつ、等間隔に６つに形成することに限る必要はない。
【００３３】
また、前記回転体抱持室６ｄの６つの内方突出部６ｃの先端面６ｆには、円周方向に放射状の位置に、球状の回転体抑止部８が埋め込こまれている。さらに、前記回転体抱持室６ｄの内面６ｇ上で、かつ、前記放射状溝６ｅより前方の位置にも、前記球状の回転抑止部８が、円周方向に放射状で、かつ、等間隔に６つ配置されている。そして、その回転体抑止部８の一部は、前記内方突出部６ｃの先端面６ｆ、及び、前記内面６ｇから内側に向かって露出させたものとなっている。
【００３４】
回転体抑止部８の回転体保持部６への取り付け方法は、回転体保持部６の内面６ｇと一体に成形しても良い。また、回転体抑止部８を別体で作製して、回転体保持部６の内面６ｇに接着や溶着、２色成形などしても良い。
【００３５】
さらに、前記回転体抑止部８は、第１実施例と同様の軟質部材で出来ている。
【００３６】
なお、前記回転体抑止部８の配置位置、個数は前述に限定されるものではなく、回転体７が紙面から受ける力によって、前記回転体抱持室６ｄ内の後方へ動くことにより受ける力、さらに、筆記時に回転体７が筆記面に対して前後左右に動くことにより受ける力、即ち、いかなる筆記方向からの力に対しても回転体７が接触することが出来る配置位置、個数であれば良い。
【００３７】
本実施例においては、筆記による筆圧や、筆記による筆記面に対する前後左右の動きによって回転体７が移動する前から、回転体抑止部８と回転体７が接触し、その回転抑止部８に圧接した状態となっている。ただし、その際の圧接力は、後述する回転体７の回転に対する摩擦力の断続的な変化に影響のないようにする。
【００３８】
このようにすることで、筆記していない状態では、回転体７は回転体抑止部８との接触による圧接力によって、回転体抱持室６ｄの前方へ付勢され、回転体７と回転体保持部６の先端開口部６ｂとの隙間９が塞がれる。よって、内容物の乾燥や漏れを防ぐことが出来る。
【００３９】
ただし、本実施例のように、筆記による筆圧や、筆記による筆記面に対する前後左右の動きによって回転体７が移動する前から、回転体抑止部８と回転体７が接触し、その回転抑止部８に圧接した状態に限らず、筆記による筆圧や、筆記による筆記面に対する前後左右の動きによる移動前は、回転体７と回転体抑止部８に隙間が設けられていてもよい。この場合は、回転体抑止部８は、筆記時の筆圧や、筆記による筆記面に対する前後左右の動きにより、前記回転体７が前記回転体保持部６の回転体抱持室６ｄ内部をに移動する際に、回転体７が当接し密着可能な分、前記回転抑止部８が前記回転体保持部６の内面６ｇより突出していれば良い。
【００４０】
次に、第２実施例の作用について説明する。
【００４１】
第２実施例においては、第１実施例と同様に、筆記時の筆圧や、筆記による筆記面に対する前後左右の動きにより、前記回転体７は前記回転体保持部６の回転体抱持室６ｄ内部の前方から後方および、前後左右に移動する。その際、回転体７は変形し易い軟質部材からなる回転体抑止部８に圧接される。
【００４２】
図４は、回転体付き容器を筆記面に対して押し当てながら、矢印Ｃの方向に筆記した場合の筆記時の要部の断面拡大図である。なお、図４は、軟質部材の変形が分かりやすいように誇張して描いている。また、矢印Ｄは回転体７の回転方向を示している。この場合、筆記時の回転体７の回転による摩擦で、軟質部材からなる回転体抑止部８は図６のように、回転に伴って引っ張られ、回転体７の表面に沿って伸びるように変形し、回転体７の回転を抑止する。
【００４３】
そして、その変形が軟質部材（回転体抑止部８）の最大変形量に達したとき、回転体抑止部８の変形は元に戻ろうとし、回転体７は筆記面との摩擦により、そのまま回転をしようとするため、回転体７と回転体抑止部８の表面ですべりが生じ、回転体抑止部８は変形が戻り、回転体７は回転する。
【００４４】
また、筆記中の筆記者の筆圧は常に一定ではないが、従来のボールと樹脂チップの構成では、その変化は小さなものである。しかし、回転体抑止部８の変形により、従来のボールと樹脂チップでは起こらない大きな抑止力が回転体７に加わる為、その抑止力によって、一時的に使用者の筆圧に無意識に強弱を生じさせる。そのため、本願発明においては、筆記中の筆圧の差が大きくなる。つまり、筆記中においては、大きな筆記圧と小さな筆記圧が繰り返されている。よって、使用者の筆圧が弱くなった際に、回転体７からの摩擦力が小さくなるため、回転体抑止部８は変形が戻り易くなり、回転体７は再び通常の回転速度にて回転する。
【００４５】
つまり、回転体７との摩擦力によって回転体抑止部８が、引っ張られることと、軟質部材（回転体抑止部８）の最大変形量に達したことにより戻る（復元する）ことが筆記中に繰り返されることによって、回転体抑止部８が断続的に変形、復元を繰り返す。
【００４６】
これにより、回転体７の回転に対する摩擦力が断続的に変化し、回転体７の回転速度が断続的に変化する。
【００４７】
なお、前記回転体７と筆記面との摩擦力が弱く、その摩擦力を前記回転体抑止部８の抑止力が上回る場合は、回転体７は回転体抑止部８によって回転を一時的に停止される。この場合、回転体７の回転が一時停止した際に、筆記線が途中で途切れることで、点線を簡単に引くことが出来る。
【００４８】
また、前記回転体７と筆記面との摩擦力が強く、その摩擦力を前記回転体抑止部８の抑止力が下回る場合は、回転体７は回転体抑止部８の抑止力によって、一時的に回転速度は減速される。この場合、回転体７の回転速度が減速した際に、線の太さ（筆跡幅）が細くなるため、筆跡幅が断続的に大きく変化する筆跡を簡単に引くことが出来る。
【００４９】
さらに、第２実施例においては、球状の回転体抑止部８を前記内方突出部６ｃの先端面６ｆ、及び、前記内面６ｇに配置した構成のため、前記放射状溝６ｅからなる、内容物を前記回転体抱持室６ｄに流入させる道と前記回転体抑止部８の間に距離Ｈを設けることが出来る。そして、その距離を、回転体抑止部８が回転体７からの圧接による変形分よりも大きく設けることで、その変形した部分が前記放射状溝６ｅと前記回転体抑止部８の間に収まる。したがって、放射状溝６ｅの前端部の面積が変化しないため、内容物を前記回転体抱持室６ｄに安定して流入することが出来るという良さがある。
【００５０】
なお、第２実施例の回転体抑止部８は、球状であるが、回転体７の回転に対する摩擦力が断続的に変化し、回転体７の回転速度が断続的に変化すれば、これに限らず、楕円形状や多角形状などであっても良い。
【符号の説明】
【００５１】
１    収容部
２    回転体保持部
２ａ  貫通孔
２ｂ  先端開口部
２ｃ  回転体抱持室
２ｄ  内面
３    回転体
４    回転体抑止部
４ａ  円柱部
４ｂ  内壁
４ｃ  突出部
４ｄ  当接面
５    隙間
６    回転体保持部
６ａ  貫通孔
６ｂ  先端開口部
６ｃ  内方突出部
６ｄ  回転体抱持室
６ｅ  放射状溝
６ｆ  先端面
６ｇ  内面
７    回転体
８    回転体抑止部
９    隙間
【図１】
2016101727.tif 000003
【図２】
2016101727.tif 000004
【図３】
2016101727.tif 000005
【図４】
2016101727.tif 000006
【図５】
2016101727.tif 000007
【図６】
2016101727.tif 000008
【図７】
2016101727.tif 000009
【図８】
2016101727.tif 000010